(57)【要約】      （修正有）【課題】端末の姿勢に応じて表示内容を変更する画像表示制御において、ユーザの体勢やユーザによる端末の動かし方の個人差に対応して表示制御の最適化を行う画像表示制御プログラム、画像表示制御方法及びこれらを備えた画像表示装置。【解決手段】姿勢検出部によって検出される装置の姿勢情報を逐次蓄積し、複数の画像表示態様情報のうち、携帯端末の相対的姿勢に対応したインデックスに紐づけられた画像表示態様にて表示制御を行う。有効回転角を超えて携帯端末が回転した場合、有効回転角、又は有効回転角の幅、又はその双方を更新する。有効回転角は、超過する回転が終了したと判定された時点の姿勢よりも手前の位置を新たな有効回転角の閾値となるよう基準姿勢を再定義する。この処理により、ユーザの携帯端末の操作の仕方の個人差にかかわらず、早期に最適化された連続画像を表示することができる。【選択図】図７
2016206405.tif 000002
【特許請求の範囲】
【請求項１】
携帯端末を、
（１）外部からの入力に基づき、一又は複数のインデックス、及び当該インデックスに対応する画像表示対応情報が含まれている画像データを読み込む画像データ読込手段、
（２）所定時点での端末姿勢を基準姿勢として取得し記憶する基準姿勢記憶手段、
（３）前記画像データに含まれるインデックス数に応じて有効回転角を決定する有効回転角決定手段、
（４）前記基準姿勢からの所定時間毎の端末の傾き変化量を蓄積して記憶する変化量蓄積手段、
（５）前記蓄積された傾き変化量が有効回転角を超えたか否かを判定する回転超過判定手段、
（６）前記回転超過判定手段で前記蓄積された傾き変化量が有効回転角を超えたと判定された場合、基準姿勢／有効回転角／有効回転角の幅の一又は複数を更新する端末姿勢判定制御手段、
（７）前記蓄積された傾き変化量に応じて前記読み込まれた画像データの表示を制御する表示画像制御手段
（８）前記表示画像制御手段で制御された態様で画像表示する表示手段
として機能させることを特徴とする画像表示制御プログラム。
【請求項２】
前記端末姿勢判定制御手段において基準姿勢が更新される際、前記回転超過判定手段で有効回転角を超えたと判定された時点の端末姿勢より内側に新たな有効回転角の限界値が設けられるよう基準姿勢を更新することを特徴とする、請求項１に記載の画像表示制御プログラム。
【請求項３】
前記端末姿勢判定制御手段において有効回転角が更新される際、前記回転超過判定手段で有効回転角を超えたと判定された時点の端末姿勢より内側に新たな有効回転角の限界値が設けられるよう有効回転角を更新することを特徴とする、請求項１に記載の画像表示制御プログラム。
【請求項４】
前記端末姿勢判定制御手段において有効回転角の幅が更新される際、前記回転超過判定手段で有効回転角を超えたと判定された時点の有効回転角の幅より広い有効回転角の幅に更新されることを特徴とする、請求項１から請求項３のいずれか１に記載の画像表示制御プログラム。
【請求項５】
前記所定時点が、前記画像データ読込手段が画像データを読み込んだ時点又は当該時点から所定期間経過後であることを特徴とする、請求項１から請求項４のいずれか１に記載の画像表示制御プログラム。
【請求項６】
前記所定時点が、前記画像データを読み込ませる入力時点又は当該時点から所定期間経過後であることを特徴とする、請求項１から請求項４のいずれか１に記載の画像表示制御プログラム。
【請求項７】
前記画像表示態様情報が、複数の画像群と各々の画像の透過度とを少なくとも含むことを特徴とする、請求項１から請求項６のいずれか１に記載の画像表示制御プログラム。
【請求項８】
前記画像表示態様情報が、単一の画像データと当該画像データ中の表示領域情報とを少なくとも含むことを特徴とする、請求項１から請求項６のいずれか１に記載の画像表示制御プログラム。
【請求項９】
（１）外部からの入力に基づき、一又は複数のインデックス、及び当該インデックスに対応する画像表示対応情報が含まれている画像データを読み込む画像データ読込手段、
（２）所定時点での端末姿勢を基準姿勢として取得し記憶する基準姿勢記憶手段、
（３）前記画像データに含まれるインデックス数に応じて有効回転角を決定する有効回転角決定手段、
（４）前記基準姿勢からの所定時間毎の端末の傾き変化量を蓄積して記憶する変化量蓄積手段、
（５）前記蓄積された傾き変化量が有効回転角を超えたか否かを判定する回転超過判定手段、
（６）前記回転超過判定手段で前記蓄積された傾き変化量が有効回転角を超えたと判定された場合、基準姿勢／有効回転角／有効回転角の幅の一又は複数を更新する端末姿勢判定制御手段、
（７）前記蓄積された傾き変化量に応じて前記読み込まれた画像データの表示を制御する表示画像制御手段
（８）前記表示画像制御手段で制御された態様で画像表示する表示手段
を有することを特徴とする画像表示装置。
【請求項１０】
少なくともセンサ、制御部、記憶部、表示部を有する携帯端末において実行する画像表示制御方法であって、
外部からの入力に基づき、制御部が、一又は複数のインデックス、及び当該インデックスに対応する画像表示対応情報が含まれている画像データを読み込むステップと、
センサが、所定時点での携帯端末姿勢を基準姿勢として取得し記憶するステップと、
制御部が、前記画像データに含まれるインデックス数に応じて有効回転角を決定するステップと、
記憶部が、前記基準姿勢からの所定時間毎の端末の傾き変化量を蓄積して記憶するステップと、
制御部が、前記蓄積された傾き変化量が有効回転角を超えたか否かを判定するステップと、
前記蓄積された傾き変化量が有効回転角を超えたと判定された場合、基準姿勢／有効回転角／有効回転角の幅の一又は複数を更新するステップと、
前記蓄積された傾き変化量に応じて前記読み込まれた画像データの表示を制御するステップと、
前記表示画像制御手段で制御された態様で画像表示するステップと、
を実行することを特徴とする画像表示制御方法。
【発明の詳細な説明】
【技術分野】
【０００１】
本発明は、ディスプレイを有する端末、特に携帯可能なモバイル端末における画像表示制御プログラム、画像制御方法及びこれらを備えた画像表示装置に関するものである。
【背景技術】
【０００２】
従来から、スマートフォン、タブレット端末等、ディスプレイを備えた携帯端末装置では、外部からの入力操作に応じて画像、動画、テキストないしこれらの組合せからなるコンテンツの表示制御が行われている。外部からの入力操作の手段としては、ボタンによる操作、タッチスクリーンに対する操作、音声入力など種々の方法が採用されている。また画像表示の制御として、入力に即応した制御ではなく、例えば時系列に応じた表示変化を与える表示制御も採用されている。
【０００３】
また通常、こうした携帯端末装置には加速度センサやジャイロセンサが備えられており、これらのセンサにより端末の姿勢に関する情報を取得することができる。ディスプレイの表示制御にあたってこうした情報を利用する技術もいくつか提案されている。例えば特許文献１には、表示部と、この表示部の姿勢データを取得するセンサと、上記表示部に表示されるコンテンツを上記姿勢データに基づいて選択的に切り替える表示制御部とを具備することを特徴とする携帯端末装置が提案されている。
【０００４】
或いは特許文献２では、画像表示装置の回転角度または回転角度を算出するための情報を検出するセンサと、センサからの入力情報に基づいて算出される画像表示装置の現在角度に基づいて表示データの更新処理を実行する制御部と、制御部の更新処理に従った表示データを表示する表示部を有し、前記制御部は、画像処理装置が所定の動作範囲内にある場合に、動作範囲内での回転角度に応じて前記表示部の表示データの更新処理を実行する構成であり、画像表示装置が設定済みの動作範囲を超えて回転した場合、該回転に伴って動作範囲を変更し、画像表示装置の現在角度を更新動作範囲内に設定する動作範囲更新処理を行う画像表示装置が提案されている。
【先行技術文献】
【特許文献】
【０００５】
【特許文献１】特開２０１４−２３８７１７号公報
【特許文献２】特開２０１１−１９１５１５号公報
【発明の概要】
【発明が解決しようとする課題】
【０００６】
しかし、この特許文献１に開示されている構成においては、基準となる角度、例えば水平状態からの傾きに応じて表示されるコンテンツが用意されているため、ユーザが使用する体勢について考慮されていない。すなわち、同じコンテンツ群を閲覧するにあたってのユーザの体勢はさまざまであり、立って閲覧するユーザもいれば寝転がり仰向けになって閲覧するユーザもいる。こうした種々のユーザに対して適切な表示を行うことができない。
【０００７】
また特許文献２に開示されている構成は、上述の特許文献１記載の構成における問題点を緩和するものではあるが、スマートフォンやタブレット等片手で持つことが多い端末を念頭に置いた構成ではないことから、個々のユーザによる端末の取扱い方の違いが十分に考慮されておらず、こうした端末における表示制御としては最適化が図れていない。すなわち、ユーザにより端末を回転させる角度や速さは個人差があるところ、特許文献２に開示の画像表示装置においては、大きな角度で動かすユーザには、ユーザがディスプレイを視認可能な状態において適切に画像表示制御がなされない。そして往々にしてこうしたユーザは適切に表示制御がなされない場合、いっそう大きく端末を動かしがちなため、なかなか所望の画像表示を体験することができず、結果として画像表示装置に対する信頼を損なうことにもつながってしまう。
【０００８】
本発明は、例えば上記問題点に鑑みてなされたものであり、端末の姿勢に応じて表示内容を変更する画像表示制御において、ユーザの体勢やユーザによる端末の動かし方の個人差に対応して表示制御の最適化を行う画像表示制御プログラム、画像表示制御方法及びこれらを備えた画像表示装置を提供することを目的とする。
【課題を解決するための手段】
【０００９】
上記課題を解決すべく、本発明に係る画像表示制御プログラムは、携帯端末を、（１）外部からの入力に基づき、一又は複数のインデックス、及び当該インデックスに対応する画像表示対応情報が含まれている画像データを読み込む画像データ読込手段、（２）所定時点での端末姿勢を取得し記憶する基準姿勢記憶手段、（３）前記画像データに含まれるインデックス数に応じて有効回転角を決定する有効回転角決定手段、（４）前記基準姿勢からの所定時間毎の端末の傾き変化量を蓄積して記憶する変化量蓄積手段、（５）前記蓄積された傾き変化量が有効回転角を超えたか否かを判定する回転超過判定手段、（６）前記回転超過判定手段で前記蓄積された傾き変化量が有効回転角を超えたと判定された場合、基準姿勢／有効回転角／有効回転角の幅の一又は複数を更新する端末姿勢判定制御手段、（７）前記蓄積された傾き変化量に応じて前記読み込まれた画像データの表示を制御する表示画像制御手段、（８）前記表示画像制御手段で制御された態様で画像表示する表示手段として機能させることを特徴とする（請求項１）。
【００１０】
なお、基準姿勢の更新にあたっては、回転超過判定手段で有効回転角を超えたと判定された時点の端末姿勢より内側に新たな有効回転角の限界値が設けられるよう基準姿勢を更新するよう構成することができる。また有効回転角の更新にあたっては、回転超過判定手段で有効回転角を超えたと判定された時点の端末姿勢より内側に新たな有効回転角の限界値が設けられるよう有効回転角を更新するよう構成することができる。かかる構成とすることにより、ユーザが大きく端末を傾け過ぎた場合に、画像表示の調整が過度に生じることなく、ユーザにとって動きのある画像表示が最適に視認可能な角度で展開されやすくなる。
【００１１】
また有効回転角の幅の更新にあたっては、回転超過判定手段で有効回転角を超えたと判定された時点の有効回転角の幅より広い有効回転角の幅に更新するよう構成することができる。かかる構成とすることにより、ぐるぐると端末を激しく動かすユーザにも最適化された、ユーザにとって動きのある画像表示が最適に視認可能な角度で展開されやすくなる。
【００１２】
また基準姿勢を初期に取得する所定時点を、前記画像データ読込手段が画像データを読み込んだ時点又は当該時点から所定期間経過後と構成することができる。あるいは、画像データを読み込ませる入力時点又は当該時点から所定期間経過後と構成することができる。これにより、通常所望の視覚コンテンツを閲覧しようとする場合にはタッチスクリーン上のボタンクリックなどによりユーザ自身が入力し、これを受けて端末内部のストレージ又は端末外部との通信により対象の画像データを読み込むところ、通常ユーザによる入力はディスプレイを見て行われることから、その時点ないしそこから若干のタイムラグを経て基準姿勢が取得されることにより、ユーザの視線がディスプレイにほぼ正対している状態を基準姿勢として設定することができるから、ユーザにとって動きのある画像表示が最適に視認可能な角度で展開されやすくなる。
【００１３】
更に、画像表示態様情報は、複数の画像群と各々の透過度とを少なくとも含むよう構成することができる。個々の画像表示態様情報にはインデックスが付与されておりこれと端末姿勢情報（傾き変化量）に基づいて表示される画像が制御されることになるから、角度の変化に応じて連続的に複数の画像が移り変わって表示されることとなり、ユーザにとって動きのある画像表示が展開される。また画像表示態様情報は、１枚の画像データとその表示領域に関する情報とを少なくとも含むよう構成することもできる。個々の画像表示態様情報にはインデックスが付与されておりこれと端末情報（傾き変化量）に基づいて表示される画像が制御されることになるから、角度の変化に応じて連続的に複数の画像が移り変わって表示されることとなり、ユーザにとって動きのある画像表示が展開される。
【００１４】
なお本発明において、
（１）「画像データ」には、画像表示態様情報と、これに対応付けられたインデックスとが含まれている。「画像表示態様情報」は、例えば複数の画像群を含めることができる。その場合、その複数の画像群は同一のフレームを共有するものであってもよく、或いは同一のオブジェクトに対する視点の変化した画像のように、相互に関連性がある画像群とすることで端末姿勢の変化に応じた画像表示の興趣が高まることが期待できる。もちろんこれに限られず、構成的に関連性が無いか低くとも観念的に関連性がある画像群とすることもできる。あるいは相互に構成上も観念上も関連性が無いか低い複数の画像の集合であっても良い。更には、単一の画像に関する異なる表示態様、例えば表示領域の変化や、或いはホログラムのように表示色調の変化等とすることもできる。
【００１５】
（２）「インデックス」は、個々の画像表示態様情報と対応付けられて規定される。画像データに含まれるインデックスの数に応じて当該画像データの有効回転角の幅が決定される。（３）「基準姿勢」は、有効回転角の略中央の端末姿勢として規定される。
【００１６】
（４）「有効回転角」は、画像データが変化を伴って表示される端末姿勢の角度をいい、基準姿勢からの端末姿勢の変化の閾値を意味する。端末姿勢は、端末が備える加速度センサ及び／又はジャイロセンサにより把握される。有効回転角の幅は、画像データのインデックスの数及び１のインデックスに対応する単位角によって規定される。
【発明の効果】
【００１７】
このように、本発明によれば、ユーザにとって動きのある画像表示が、ユーザの端末操作に基づいて生じる端末姿勢の変化に応じて最適化された角度で表示される。とりわけ、画像データに含まれるインデックス数の多少やユーザ自身の端末の動かし方の個人差、或いはユーザが端末を取り扱う姿勢に関わらず、適切に基準姿勢、有効回転角及びその幅が更新されるから、せっかくユーザにとって動きのある画像表示であるにもかかわらずユーザ自身が十分に楽しむことができない、といった表示上の不具合を回避できる可能性が高まる。
【図面の簡単な説明】
【００１８】
【図１】本発明の一実施例に係るプログラムにより画像表示が制御される端末を示した図であり、（ａ）正面図、（ｂ）平面図である。
【図２】本発明の一実施例に係る端末の機能構成図である。
【図３】インデックスが付された複数の画像表示態様情報を含む画像データを示す概念図端末の姿勢と表示される画像との関係を示す図である。
【図４】図３における各画像の一実施例を示す図である。
【図５】画像切替の基本構造を示す概念図である。
【図６】基準姿勢に基づいた３６０°対応の画像切替表示を示す概念図である。
【図７】本発明の一実施例に係る画像表示制御の流れを示すフロー図である。
【図８】本発明の他の実施例に係る画像表示制御の流れを示すフロー図である。
【図９】単一の画像の画像表示態様情報を含む画像データを示す概念図である。
【発明を実施するための形態】
【００１９】
以下、図面を参照しながら本発明の画像表示制御プログラム、及びこれを用いた画像表示制御方法及び画像表示装置の詳細について説明する。
【００２０】
［１  端末の機能構成］
図１は、本発明の一実施例に係る携帯端末１００の外観を示した図である（（Ａ）正面図、（Ｂ）平面図）。携帯端末１００の正面には、表面にタッチセンサ１１０ａを備えた表示部１０８が設けられている。表示部１０８は液晶ディスプレイで構成されている。液晶ディスプレイの視野角は液晶パネルの駆動方式によっても差異があるものの、いずれの駆動方式においても、ユーザは、携帯端末１００の正面に正対する場合が最も表示画面を見やすい。
【００２１】
図２は、携帯端末１００の機能構成図である。図２に示すように、携帯端末１００は、通信部１０２、姿勢検出部１０４（加速度センサ１０４ａ、ジャイロセンサ１０４ｂ）、中央処理装置（プロセッサ）を含んで構成される制御部１０６、表示部１０８、操作部１１０（タッチセンサ１１０ａ、操作ボタン１１０ｂ）、記憶部１１２を備えている。制御部１０６はその機能上、表示制御部１０６ａ、有効回転角１０６ｂ、姿勢情報蓄積制御部１０６ｃ、回転超過判定制御部１０６ｄとして機能する。
【００２２】
通信部１０２は、少なくとも１つの通信ポートを有するインターフェースを有し、他の装置との間でやりとりされる情報を制御する。通信部１０２は、例えば、ＬＡＮ（Local Area Network）を介して情報サーバなどと互いに通信可能となるように接続される。なお外部ノードとの通信接続は任意の方式を採用することができる。
【００２３】
加速度センサ１０４ａは、例えば３軸加速度センサ、又は２軸加速度センサにより実現される。加速度センサ１０４ａは、それぞれの軸方向の加速度を検出するものであり、単体では軸方向周りの回転運動を検出することはできない。
【００２４】
ジャイロセンサ１０４ｂは、回転角速度を測定する慣性センサであり、一般的なＩＣタイプのＭＥＭＳ技術（Micro Electro Mechanical System）技術を使った、コリオリ力を検知する振動式ジャイロセンサを採用することができる。
【００２５】
制御部１０６は、通信部１０２を介して入力される画像情報、姿勢検出部１０４で検知される携帯端末１００の姿勢情報、後述する操作部１１０からの入力操作情報に基づき、表示部１０８に表示される画像データを制御する表示制御部１０６ａ、前述の姿勢情報、及び後述する回転超過判定制御部１０６ｄで得られる判定結果に基づき記憶部１１２に記憶された有効回転角を制御する有効回転角制御部１０６ｂ、逐次取得される前述の姿勢情報に基づき記憶部１１２にストアされている姿勢情報を更新する姿勢情報蓄積制御部１０６ｃ、前述の姿勢情報が基準となる角度範囲を超過したか否かを記憶部１１２にストアされた基準となる角度範囲情報及び蓄積された姿勢情報に基づき判定する１０６ｄとしての機能を有する。
【００２６】
表示部１０８は、表示制御部１０８により制御された画像データを逐次表示する。ここで表示部１０８と、操作部１１０のうちタッチセンサ１１０ａとは重畳的に配置されており、一体のタッチスクリーンを構成する。また本実施例に係る携帯端末１００には、別途操作ボタン１１０ｂが設けられている。なお図示していないが、携帯端末１００の側面部等に適宜電源ボタン等の操作ボタンを設けても良い。
【００２７】
記憶部１１２は、ＲＡＭやＲＯＭ、フラッシュメモリ、ＨＤＤ等で構成される。記憶部１１２には携帯端末１００の起動に際しての基本プログラム、各種アプリケーションソフト及びそのデータ等が記憶されている他、画像情報、端末１００の姿勢情報、基準姿勢及び有効回転角幅に関する情報が記憶される。
【００２８】
［２  画像切替表示の基本原理］
次に、図３、図４及び図５を用いて、本発明に係る画像切替の基本原理を説明する。
図３は、各々インデックス（１、２、３、・・ｎ−１、ｎ、ｎ＋１、・・２ｎ−１、２ｎ）が付された複数の画像表示態様情報を含む画像データを示す概念図であり、図４は図３に示した各画像の具体的な例であり、図５は携帯端末１００の回転角と画像切替の関係を示す概念図である。図３に示すように、各インデックスは複数の画像各々の表示態様に関する情報と関連付けられている。各画像は図４に示すように、画像１から画像２ｎが同一サイズで構成されており、これらは同一座標に順に重ねられて表示されている。本実施例では、山の景色に太陽、及び画像により雲が配された複数の画像各々にインデックスが付された画像群として画像データが構成されている。例えばインデックス１においては、「画像１」の透過度が０に、その他の画像（「画像２」から「画像２ｎ」）の透過度は１に設定されている。その結果インデックス１に対応する画像表示態様としては、「画像１」が表示部１０８において視認可能な状態となる。また後述する基準姿勢（図５に示すｂａｓｅｌｉｎｅ（０））に対応するインデックスｎにおいては、画像ｎの透過度を０とし、他の画像の透過度は１に設定されている。これにより、表示部１０８においては画像ｎを視認することができるように表示される。
【００２９】
ここで、画像を次のインデックス、ここでは画像ｎ＋１、に切り替えるための回転角度変化係数ｘ（°／枚）、及び検出される携帯端末１００の姿勢変化に基づき、画像切替制御が行われる。検出された回転角をｘで除した値が１を超えたとき（図５においてｂａｓｅｌｉｎｅ（１）を超える回転を検出したとき）、画像ｎ＋１の透過率を０にし、他の画像の透過率を１に設定する。これにより、表示部１０８においては画像ｎ＋１を視認することができるように表示される。なお図５では説明の都合上、図としては大きい角度で回転角度変化係数ｘを図示している。
【００３０】
有効回転角は、画像データが有するインデックス数、及び回転角度変化係数ｘにより定まることになる。すなわちこの例の場合、有効回転角は２ｎｘ（°）であり、基準状態（ｂａｓｅｌｉｎｅ０）を０とした場合−ｎｘ（°）からｎｘ（°）である。連続して同一方向に回転している場合、ｂａｓｅｌｉｎｅ（ｎｘ）を超えて回転すると常に２ｎ枚目を表示することとなる。逆回転の場合も同様に表示される画像が変化していき、連続して同一方向に回転している場合、ｂａｓｅｌｉｎｅ（−ｎｘ）を超えると画像は常に１枚目を表示することになる。
【００３１】
［３  変化量の蓄積］
また、所定期間内の携帯端末１００の回転角度がｘに満たない場合、つまり非常にゆっくり携帯端末１００を回転させた場合、継続して回転させている場合であっても表示画像は変化しないこととなる。これを防ぐために、所定期間内の変化分は記憶部１１２に蓄積され、蓄積がｘを超えたときに次の画像へと変化するように構成されている。
【００３２】
［４  ３６０°対応］
次に、本実施例にかかる端末姿勢の検出方法について説明する。加速度センサ１０４ａでは重力加速度を検知することによりその時点ごとの端末姿勢の検知が可能であり、ジャイロセンサ１０４ｂは角加速度の検知及びその積分処理によって３軸方向での角速度の検出が可能である。しかしながら、一般的な携帯デバイスに搭載されるＯＳ（Operating Soft）は、その種別によって円一周の定義範囲が異なるため、単に加速度センサ１０４ａ及びジャイロセンサ１０４ｂの計測値から導き出される絶対的な端末姿勢では正しく画像表示制御がなし得ない場合があり得る。そこで本実施例にかかる端末姿勢の検出方法では以下の手法をとっている。
【００３３】
すなわち、図６（ａ）に示すように、一時点における端末姿勢を基準姿勢（＝ｂａｓｅｌｉｎｅ）とし、これと表示制御を行う画像データに含まれる画像表示態様数（インデックス数）及び回転角度変化係数ｘに基づいた有効回転角内において、画像データに含まれる各画像表示態様に従った表示制御を行う。２ｎ枚の画像を表示制御するときの有効回転角は−ｎｘからｎｘとなる。この基本構造は、絶対的な端末姿勢を特定する角度に依存せず、基準姿勢からの相対的な回転角として検出され、表示制御に資することになる。そのためＯＳや端末内蔵のセンサに依存することなく、携帯端末１００の基準姿勢にかかわらず表示制御の最適化を行うことができる（図６（ｂ））。
【００３４】
［５  ユーザ体感の最適化］
次に、携帯端末１００が有効回転角を超えて回転する場合の表示制御について、図６（ｂ）を参照しつつ説明する。
【００３５】
前述の通り、画像切替の基本構造における有効回転角の範囲は、画像の枚数と回転角度変化係数ｘによって定義される。例えば、ユーザがｂ１において携帯端末１００を基準姿勢（ｂａｓｅｌｉｎｅ（０））から有効回転角の最大角度（ｂａｓｅｌｉｎｅ（ｎｘ））まで傾けた時、表示部１０８にはインデックス２ｎに対応した画像が表示される。この携帯端末１００の傾き状態、つまり状態ｂ１におけるｂａｓｅｌｉｎｅの最大値（ｂａｓｅｌｉｎｅ（ｎｘ））を超えた状態を保って携帯端末１００をｂ２の位置まで移動すると、表示部１０８にはインデックス２ｎに対応した画像が表示され続けている状態である。このとき同時に、基準姿勢が端末位置ｂ１のときとは異なる位置で再定義される。つまり移動完了時の携帯端末の姿勢より内側、つまり継続して回転してきた時系列的に手前の時点における携帯端末１００の姿勢から回転角（−ｎｘ）分の位置をｂａｓｅｌｉｎｅ（０）として再定義する。このように、ｂａｓｅｌｉｎｅ（０）の再定義の際に、超過と判断された時点の携帯端末１００の姿勢より内側に新たな有効回転角の限界値（ここではｂａｓｅｌｉｎｅ（ｎｘ））が設けられるように基準姿勢であるｂａｓｅｌｉｎｅ（０）が更新されることにより、ユーザにとってより適切に画像変化が体感できるように表示制御されることとなる。
【００３６】
このときに、ユーザが携帯端末１００を傾けて画像を切り替える際、ｂａｓｅｌｉｎｅ（０）に対する垂線（表示部１０８を平行な面に対する法線）が、表示部１０８に対するユーザの視線と一致しない場合がある。この状態では、ユーザの体感として、携帯端末１００の姿勢変化に応じて表示が変化するとしても、ユーザの手の動きに対して中心がずれているため、表示部１０８をユーザがしっかりと視認できない状態で画像が切り替わってしまい、ユーザが見える範囲では有効回転角外の表示、つまりインデックス１或いはインデックス２ｎの固定画像が表示されたままとなる可能性がある。
【００３７】
このユーザの表示部１０８への視線とｂａｓｅｌｉｎｅ（０）に対する垂線とが限りなく一致するよう有効回転角（−ｎｘ〜ｎｘ）が制御されることによりユーザの見やすさが高まる。なぜなら、手の左右へと傾ける動きの中心を対照軸として左右に限りなく均等な数の画像切替を行うことができるためである。
【００３８】
もっとも実際には、ユーザによる携帯端末１００の動かし方は個人差があるため、上記の制御では、即時にはユーザの視線とｂａｓｅｌｉｎｅ（０）に対する垂線とは必ずしも平行にならない。しかしこの場合も、携帯端末１００が端末位置ｂ２に移動してｂａｓｅｌｉｎｅ（０）が再定義された状態でｂａｓｅｌｉｎｅ（−ｎｘ）を超過して逆方向に傾けると再度ｂａｓｅｌｉｎｅ（０）が定義されることになる。このように、左右に傾けることで手の動きに合わせて限りなくユーザの携帯端末１００の傾き幅の中心にｂａｓｅｌｉｎｅ（０）が補正されていく。
【００３９】
また同様に、端末位置ｂ１におけるｂａｓｅｌｉｎｅ（−ｎｘ）よりも負の方向に回転した状態を保って携帯端末１００を端末位置ｂ３まで移動する場合も同様である。つまり移動完了時の携帯端末の姿勢より内側、つまり継続して回転してきた時系列的に手前の時点における携帯端末１００の姿勢から回転角（＋ｎｘ）分の位置をｂａｓｅｌｉｎｅ（０）として再定義する。
【００４０】
なお、ｂａｓｅｌｉｎｅ（０）の再定義にあたって、上述のように回転してきた時系列的に手前の時点における端末姿勢を参酌する方法の他、再定義時点での端末姿勢から回転角（−（ｎｘ＋α））（但しαは定数）分の位置をｂａｓｅｌｉｎｅ（０）として再定義するよう構成しても良い。更にはαを定数ではなく、所定の係数、例えば有効回転角超過の頻度や有効回転角超過時の角加速度に応じた変数としてｂａｓｅｌｉｎｅ（０）を再定義するよう構成することもできる。負の回転角方向に超過した場合にも同様に再定義可能である。
【００４１】
［６  フローを用いた説明］
上述の画像表示制御の一連の動きを、図７のフローに沿って説明する。
【００４２】
ユーザは、携帯端末を操作することにより画像データを取得する旨の入力を行う。入力の方法として、例えば表示部１０８とタッチセンサ１１０ａとで構成されるタッチスクリーン上に表示される「画像データを取得する」旨のボタン（図示しない）のタッチ操作、或いは操作ボタン１１０ｂの押下操作、その他設定された所定の操作により実現される。画像データ取得指示が入力されると（ステップＳ１０１：Ｙｅｓ）、携帯端末１００は通信部１０２を介して外部サーバから画像データを取得する（ステップＳ１０２）。画像データには、図３にて示したように、複数の画像情報及びこれらの画像表示態様情報がインデックスと紐づけられている。
【００４３】
次に携帯端末１００は加速度センサ１０４ａから端末の現在の姿勢に関する情報を取得する（ステップＳ１０３）。これとともに、携帯端末１００は現在の姿勢を基準姿勢として定義する。また前述の画像データに含まれるインデックス数、及び回転角度変化係数ｘに基づいて有効回転角を定義する（ステップＳ１０４）。ここで回転角度変化係数ｘの初期値は予め記憶部１１２に記憶されている。
【００４４】
なお本実施例では、回転角度変化係数ｘの初期値は本プログラムの固有値として記憶部１１２に記憶されているものとして説明したが、これと異なる構成、例えば画像データを構成する情報として画像データ取得時に記憶部１１２に記憶されるよう構成しても良い。かかる構成は、例えば画像データのインデックス数の大小の差が著しい場合に、回転による画像切替の速さをその大小に応じて初期から最適化する場合に有効である。
【００４５】
次に、表示制御部１０６ａは、現在の姿勢に基づき、取得した画像データのうち選択された画像表示態様により表示部１０８で画像を表示する（ステップＳ１０５）。初期値はｂａｓｅｌｉｎｅ（０）に対応するインデックスと紐づけられた画像表示態様で表示される。
【００４６】
次に、ジャイロセンサ１０４ｂにより携帯端末１００の動的な姿勢変化が検出される（ステップＳ１０６）。ここで検出されるのは、携帯端末１００の回転による姿勢変化である。本実施例では携帯端末１００を正面から見た場合の左右の回転（ロール軸）に対応した画像表示変化の例に基づいて説明しているが、これに限られず、上下（ピッチ軸）に対応する画像表示変化としても良い。
【００４７】
検出された情報は、記憶部１１２において蓄積的に記憶される（ステップＳ１０７）。これは、回転させる速度が非常に遅い場合、回転が画像表示態様を変化させるほどの量に至らず、結果画像表示態様が変化されないまま携帯端末１００の姿勢が変化していくことを防止するためである。
【００４８】
次に、表示制御部１０６ａは、蓄積された姿勢情報と選択されている画像表示態様が一致しているかを判定する（ステップＳ１０８）。現在の画像表示態様と姿勢情報に対応した画像表示態様が異なる場合（ステップＳ１０８＝Ｎｏ）、画像表示態様の更新処理を行う（ステップＳ１０９）。
【００４９】
次に回転超過判定制御部１０６ｄは、蓄積された姿勢情報、つまり基準姿勢からの相対的な回転角が有効回転角の上限又は下限を超えていないかを判定する（ステップＳ１１０）。有効回転角の上限又は下限を超えている場合（ステップＳ１１０＝Ｙｅｓ）、上述した有効回転角の更新処理を行った上でステップＳ１０５の処理に戻る。蓄積された姿勢情報が有効回転角の範囲内の場合、そのままステップＳ１０５の処理に戻る。
【００５０】
［７  他の実施例］
次に、本発明に係る別の実施例につき説明する。上記第一の実施例では有効回転角を超過して携帯端末１００の姿勢が変化することをトリガとして基準姿勢ｂａｓｅｌｉｎｅ（０）が再定義され、これにより絶対的な有効回転角が遷移していく構成について説明した。これとは別に、或いはこれと組み合わせて以下のような構成とすることもできる。
【００５１】
すなわち、ステップＳ１１０において、回転超過判定制御部１０６ｄにおいて回転超過と判定された際、回転角度変化係数ｘの再定義を行う。有効回転角は画像データのインデックス数と回転角度変化係数との積により定義されるから、ユーザによる携帯端末１００の姿勢変化のさせ方に応じて有効回転角の幅をカスタマイズさせるべく回転角度変化係数ｘの大小を調整する。この回転角度変化係数ｘの調整に当たっては、ユーザの手の動きの激しさに応じて再定義される回転角度変化係数ｘの大小を調節することができる。具体的には単位時間あたりの有効回転角超過の頻度を動きの激しさと捉え、これに応じた大小の調整を行うことができるが、その場合でも回転角度変化係数ｘを過度に大きくしすぎると適切な画像表示態様を実現することができないことから、規定値、例えば画像枚数との積が１８０°を超えない値を収束値とした非線形関数としてｘを再定義するよう構成することができる。
【００５２】
更に別の実施例を、図８を用いつつ説明する。図８は画像表示制御のフローを示す図であり図７と多くのステップにおいて共通する。共通する点については説明を省略する。上記例では有効回転角の幅の更新トリガとして携帯端末１００の姿勢が有効回転角を超過することと規定している。しかし例えば逆に、手の動きが小さく端末の角度変化が微細であるとき、そうしたユーザの動きにカスタマイズするよう構成することもできる。具体的には、図８に示すように、所定期間における回転角の蓄積が所定値未満の場合には（ステップS２１０：Ｙｅｓ）、回転角度変化係数ｘを再定義する（ステップＳ２１１）よう構成することができる。このように、有効回転角を超過しない場合にも有効回転角幅を更新することにより、より極め細やかなユーザカスタマイズが実現可能となる。
【００５３】
［８  他の実施例］
更に、上記実施例における画像データに含まれる複数の画像表示態様情報は、同一サイズで同一座標に順に重ねられて表示されるものであったが、画像表示態様情報はこれに限られない。例えば図９に示すように、１の画像情報につき、インデックスごとにどの部分をフレーム内で表示させるかが定義づけられており、端末姿勢に応じて１の画像情報中の表示される部分が連続的に切り替わるように構成することもできる。あるいは１の画像情報のフォーカス度合がインデックスとともに定義づけられており、端末姿勢に応じて表示態様が切り替わるよう構成しても良い。更には、これらが１の画像情報ではなく、複数のインデックスに対して複数の画像が連続的に表示されるようにしてもよい。あるいは重畳的に異なる透過性をもって表示されている複数の画像の透過性がゼロサムに切り替わるのではなく段階的に濃淡が設定されていることにより、よりシームレスな画像変化をユーザは体感することができる。
【符号の説明】
【００５４】
１００          携帯端末
１０２          通信部
１０４          姿勢検出部
１０４ａ        加速度センサ
１０４ｂ        ジャイロセンサ
１０６          制御部
１０６ａ        表示制御部
１０６ｂ        有効回転角制御部
１０６ｃ        姿勢情報蓄積制御部
１０６ｄ        回転超過判定制御部
１０８          表示部
１１０          操作部
１１０ａ        タッチセンサ
１１０ｂ        操作ボタン
１１２          記憶部
【図１】
2016206405.tif 000003
【図２】
2016206405.tif 000004
【図３】
2016206405.tif 000005
【図４】
2016206405.tif 000006
【図５】
2016206405.tif 000007
【図６】
2016206405.tif 000008
【図７】
2016206405.tif 000009
【図８】
2016206405.tif 000010
【図９】
2016206405.tif 000011